(57)【要約】【課題】  表示装置（プロジェクタやフラットパネルディスプレイ）の複数人による視聴において、各人の音量や音質の設定値の違いに同時に対応する。【解決手段】  表示装置の音声入出力において、複数の出力端子と、その端子の各々に対応した音声、音質の調節手段を有する。【選択図】  図１
2010010795.tif 000002
【特許請求の範囲】
【請求項１】
入力された映像信号に応じた表示を行う表示手段と、
入力された音声信号を増幅し出力する音声信号増幅手段を備え、
前記音声信号増幅手段は、
前記音声信号を受けて第1の音声出力端子に音声信号を出力する第1の音声増幅手段と、
前記音声信号を受けて第2の音声出力端子に音声信号を出力する第2の音声増幅手段とを有し、
前記第1の音声増幅手段は外部からの第1の制御によって音声増幅率、若しくは音質が可変であり、
前記第2の音声増幅手段は外部からの第2の制御によって音声増幅率、若しくは音質が可変であることを特徴とする映像表示装置。
【請求項２】
前記第1の音声増幅手段の音声を調節するための第1の音声調節操作手段と、
前記第2の音声増幅手段の音声を調節するための第2の音声調節操作手段とを
更に備えることを特徴とする請求項１に記載の映像表示装置。
【請求項３】
第３の音声調節操作手段と、
前記第3の音声調節操作手段の操作に対応して第1の音声増幅手段の音声を調節するように設定する第1の設定手段と、
前記第3の音声調節操作手段の操作に対応して第2の音声増幅手段の音声を調節するように設定する第2の設定手段とを
更に備えることを特徴とする請求項１に記載の映像表示装置。
【発明の詳細な説明】
【技術分野】
【０００１】
本発明は表示装置（プロジェクタやフラットパネルディスプレイ）の音声出力に関するものである。音声端子、特にイヤホーン端子を有する表示装置の使い勝手を向上させる技術を提案するものである。
【背景技術】
【０００２】
表示装置には、音声の入出力端子やスピーカーを有するものがある。更にイヤホーン端子を有する製品があり、夜間等、大きな音声出力では他人に迷惑を及ぼしてしまうような状況においても気兼ねなく映像や音声を鑑賞出来るように成された製品もある。  更にはイヤホーン端子が２個以上備えられた製品もあり、複数人数で同時に映像や音声を鑑賞することが出来るように成された製品もある。
【０００３】
そのような製品の一例を、図2（回路ブロック構成図）を用いて説明する。
図2に示す表示装置はフラットパネルディスプレイの例である。
【０００４】
まず映像信号の流れについて説明する。
【０００５】
１は映像入力回路であり、入力映像信号を受けて所定形式の映像信号を生成する。得られた映像信号は次の２の映像信号処理回路に加えられ、更に次の３の表示駆動回路に加えられる。この駆動信号出力が４の表示パネルに加えられ、この表示パネルは不図示のバックライト（光源）に照らされて、映像が表示される。
【０００６】
２の映像信号処理回路も３の表示駆動回路も７のマイコンで構成されるコントローラの制御下にあり、その動作や機能が制御される。
【０００７】
８は操作パネルであり、操作パネル上に配置された複数の釦を操作することにより、この操作が７のコントローラに読み込まれ、必要な機能をさせることが出来るようになっている。
【０００８】
次に音声信号の流れについて説明する。
【０００９】
９は音声入力回路であり、入力音声信号を受けて、次の１０の音声増幅回路に音声信号を加える。１０に加えられた音声信号は７のコントローラからの制御によって音量や音質が変更、設定され、次の音声出力端子から外部に出力される。この従来例では音声出力端子が複数（１１ａと１１ｂ）あり、２名までのイヤホーン出力による同時視聴が可能になっている。
【特許文献１】特開2003-204491号公報
【発明の開示】
【発明が解決しようとする課題】
【００１０】
さて、背景技術の中で示されている表示装置では、複数人数で同時に映像や音声を鑑賞することが出来るものの、以下に示すような問題の発生が考えられる。
【００１１】
音量調節をする手段がひとつしか提供されていないため、各々の視聴者が同じ音量や音質で音声を聞くことになる。  各々の視聴者が同じ音量で不満が無ければ問題ないが、大概の場合、音量や音質については各々の好みや聴力の差があり、ある人に最適な設定が他の人にとって許容出来る設定であるとは限らない。
【課題を解決するための手段】
【００１２】
本発明は、上記問題に鑑み、複数の出力端子に対応して複数の音量、音質調節手段を設けることによって、上記課題を解決するものである。
【００１３】
更にその各々の音量、音質設定方法を幾つか提案しており、より使い勝手のよい表示装置を提供することが可能となる。
【発明の効果】
【００１４】
請求項１によれば、
音声の出力端子を有するひとつの表示装置において、周辺に迷惑をかけることなく、複数の視聴者が、各々にとって最適な音量や音質で映像と音声を楽しむことが可能のなる。
【００１５】
請求項２によれば、
複数の視聴者が、各々独立した音声調節手段（ボリューム等）を操作するように成すことで、各々の好みの音量や音質に設定することが可能となる。
【００１６】
請求項３によれば、
共通の音声調節手段（ボリューム等）を備え、これを切替えて用いるように成すことで、少ない調節手段によって複数の視聴者が各々独立した音声調節を行うことが可能となる。
【発明を実施するための最良の形態】
【００１７】
次に、本発明の詳細を実施例の記述に従って説明する。以下に、本発明の実施の形態を添付の図面に基づいて詳細に説明する。
【実施例１】
【００１８】
本発明の実施例を、図１（回路ブロック構成図）を用いて説明する。
【００１９】
図１に示す表示装置は液晶プロジェクタの例である。
【００２０】
まず映像信号の流れについて説明する。
【００２１】
１は映像入力回路であり、入力映像信号を受けて所定形式の映像信号を生成する。得られた映像信号は次の２の映像信号処理回路に加えられ、更に次の３の表示駆動回路に加えられる。ここで４の表示パネルの駆動信号を生成する。
【００２２】
２の映像信号処理回路も３の表示駆動回路も７のマイコンで構成されるコントローラの制御下にあり、その動作や機能が制御される。
【００２３】
５は光源ランプ、６は投射レンズユニットであり、４の表示パネルを挟んで、表示パネル面上に形成された映像を不図示のスクリーン上に投射する。
【００２４】
８は操作パネルであり、操作パネル上に配置された複数の釦を操作することにより、この操作が７のコントローラに読み込まれ、必要な機能をさせることが出来るようになっている。
【００２５】
次に音声信号の流れについて説明する。
【００２６】
９は音声入力回路であり、入力音声信号を受けて、次の２系統の音声増幅回路（、第1の音声増幅手段１０ａと第2の音声増幅手段１０ｂ）に音声信号を加える。１０ａと１０ｂに加えられた音声信号は７のコントローラからの各々個別の制御（第1の制御と第2の制御）によって音量や音質が変更、設定され、次の音声出力端子から外部に出力される。
【００２７】
音声出力端子は複数（第1の音声出力端子１１ａと第2音声出力端子１１ｂ）あり、２名までのイヤホーン出力による同時視聴が可能になっている。
【００２８】
図では明確に示していないが、各々の出力端子はモノラルでもステレオでも、更にはより多チャンネル（5.1Chなど）の出力でも構わない。
【００２９】
次に図３を用い１０の音声増幅回路の、若干詳しい説明をする。
【００３０】
図３の（Ａ）で示される回路図は電子的音量調節回路を用いたもので、コントローラからのデジタル的制御によって音量等の制御がなされる。１０２は電子ボリュームアンプで、１０３のデジタル制御により音量を制御する。１０４は電力アンプであり、イヤホーンを駆動するのに十分な電力増幅を行う。
【００３１】
図３の（Ｂ）は、図３の（Ａ）に示す１０２の電子ボリュームと置き換えられるボリューム回路である。これはアナログ的制御によって音量を制御する回路であり、直接ボリュームを回転させることにより、コントローラを介さずに音量を制御することが可能となる。
【００３２】
次に図４を用い（一部図５、図６も用いて）幾つかの操作手段について説明する。
【００３３】
図４（Ａ）：
これは表示装置本体の操作釦（一部）、若しくは赤外リモコンの操作釦（一部）を示している。上下左右の矢印釦、［OK］釦、［MENU］釦は、一般的なメニュー操作を行うための釦群であるが、近くに［VOL1］釦と［VOL2］釦を配置し、これらの組合せ操作によって音量調節機能を果たしている。
【００３４】
この処理の流れを図５のフローチャートを用いながら説明する。
【００３５】
まず［VOL1］釦か［VOL2］釦が押されることによってボリューム調節モードに入る。
【００３６】
このフローチャートは、ボリューム調節モードに入ってからの処理の流れである。
【００３７】
まず始めに、最後に選択された調節ボリューム（VOL1かVOL2）が設定される。全く最初であれば、デフォルト値であるVOL1が設定される。そして、対応するボリューム調節の表示が画面に現れる。（図４（Ａ）の右側に示されている）
その後は［↑］、［↓］、［VOL1］、［VOL2］、［OK］の５つの釦がスキャンされ、［↑］であれば音量を上げ（第3の音量調節手段）、［↓］であれば音量を下げ（第3の音量調節手段）、［VOL1］であればVOL1に切替わり（ボリューム表示も）（第１の設定手段）、［VOL2］であればVOL2に切替わり（ボリューム表示も）（第２の設定手段）、［OK］であればボリューム調節モードを終了する。
【００３８】
また、所定時間釦操作が成されなければタイムアウトとなり、この場合もボリューム調節モードの処理を終了する。
【００３９】
ボリューム調節モードが終わるとボリューム調節の表示も画面から消える。
【００４０】
図４（Ｂ）：
これは表示装置本体の操作釦（一部）、若しくは赤外リモコンの操作釦（一部）を示している。上下左右の矢印釦、［OK］釦、［MENU］釦は、一般的なメニュー操作を行うための釦群であるが、近くに［VOL］釦を配置し、これらの組合せ操作によって音量調節機能を果たしている。
【００４１】
この処理の流れを図６のフローチャートを用いながら説明する。
【００４２】
まず［VOL］釦が押されることによってボリューム調節モードに入る。
【００４３】
このフローチャートは、ボリューム調節モードに入ってからの処理の流れである。
【００４４】
まず始めに、最後に選択された調節ボリューム（VOL1かVOL2）が設定される。全く最初であれば、デフォルト値であるVOL1が設定される。そして、ボリューム調節の表示（VOL1とVOL2）が画面に現れる。（図４（Ｂ）の右側に示されている）
その後は［↑］、［↓］、［←］、［→］、［OK］の５つの釦がスキャンされ、［↑］であれば音量を上げ（第3の音量調節手段）、［↓］であれば音量を下げ（第3の音量調節手段）、［←］であればVOL1に切替わり（ボリューム表示も）（第１の設定手段）、［→］であればVOL2に切替わり（ボリューム表示も）（第2の設定手段）、［OK］であればボリューム調節モードを終了する。
【００４５】
また、所定時間釦操作が成されなければタイムアウトとなり、この場合もボリューム調節モードの処理を終了する。
【００４６】
ボリューム調節モードが終わるとボリューム調節の表示も画面から消える。
【００４７】
図４（Ｃ）：
これは表示装置本体の操作釦（一部）、若しくは赤外リモコンの操作釦（一部）を示している。これはボリューム調節だけの釦群であり、VOL1用の［＋］釦と［−］釦（第1の音声調節操作手段）、VOL2用の［＋］釦と［−］釦（第2の音声調節操作手段）、以上４つである。
【００４８】
処理が非常に単純なので、フローチャートを用いずに説明する。
【００４９】
４つのいずれかの釦が押されるとボリューム調節モードに入り、ボリューム調節の表示（VOL1とVOL2）が画面に現れる。（図４（Ｃ）の右側に示されている）
所定時間釦操作が成されなければタイムアウトとなり、ボリューム調節モードの処理を終了する。
【００５０】
以上３つの実施例では、図３（Ａ）に示した電子ボリュームを用いた回路構成に対応している。
【００５１】
一方、図３（Ｂ）に示した回路構成（アナログボリュームによる）に対応する例を次に示す。
【００５２】
図４（Ｄ）：
これはアナログ回路を用いるので、表示装置本体にか配置出来ない。本体の脇などに２つのボリュームリングを露出させたものであり、左側がVOL1（第1の音声調節操作手段）、右側がVOL2（第2の音声調節操作手段）である。
【００５３】
この例では画面上の表示は何も無い。
【図面の簡単な説明】
【００５４】
【図１】本発明の回路ブロック構成図
【図２】従来例の回路ブロック構成図
【図３】本発明の音声増幅回路を説明するための図
【図４】本発明の幾つかの操作手段を説明するための図
【図５】本発明の実施形態におけるフローチャート
【図６】本発明の実施形態におけるフローチャート
【図１】
2010010795.tif 000003
【図２】
2010010795.tif 000004
【図３】
2010010795.tif 000005
【図４】
2010010795.tif 000006
【図５】
2010010795.tif 000007
【図６】
2010010795.tif 000008